(57)【特許請求の範囲】
【請求項１】
眼鏡用のレンズ（１００）を形成する形削り盤において、
前記レンズ（１００）を支持するとともに、第１の駆動手段（１４）により第１の回転軸（Ａ３）を中心にして前記レンズを回転駆動する手段（１２，１３）と、
第２の回転軸（Ａ２０）を中心にして回転するように取り付けられ、第２の駆動手段により回転駆動される工具運搬器（２０）と、
それぞれ平行な各工具用軸（Ａ２１，Ａ２２，Ａ２３）を中心にして回転するように前記工具運搬器（２０）に取り付けられた複数の加工工具（２１，２２，２３）であって、それら加工工具の少なくとも２つ（２１，２２）は、前記レンズの周面を形成するとともに異なる工具用軸（Ａ２１，Ａ２２）を有する複数の加工工具（２１，２２，２３）と、
前記第１の回転軸（Ａ３）と前記第２の回転軸（Ａ２０）との間の相対間隔を拡げる運動を行う第３の駆動手段とを備え、
前記第１の回転軸（Ａ３）に対し実質的に交差するように延びる第３の回転軸（Ａ０）を中心にして、前記第１の回転軸（Ａ３）に対し前記工具運搬器（２０）を旋回可能とする旋回手段（３０，３１，３２）を有し、
少なくとも２つの形削り工具（２１，２２）は、互いに異なる直径を有し、かつ、互いに平行な工具用軸（Ａ２１，Ａ２２）を中心に回転し、その少なくとも２つの形削り工具（２１，２２）の工具用軸（Ａ２１，Ａ２２）は、前記第２の回転軸（Ａ２０）から異なる距離に配置されていることを特徴とする形削り盤。
【請求項２】
請求項１に記載の形削り盤において、
前記加工工具（２１，２２，２３）は、穴あけ用工具（２３）を有する形削り盤。
【請求項３】
請求項１または２に記載の形削り盤において、
少なくとも１つの前記加工工具（２２）の工具用軸（Ａ２２）および前記工具運搬器（２０）の第２の回転軸（Ａ２０）は、この加工工具（２２）が選択されて前記工具運搬器が前記加工工具の作動位置に回転させられたときに、前記加工工具（２２）の工具用軸（Ａ２２）が第１の回転軸（Ａ３）に対して傾斜するような態様で配設されている形削り盤。
【請求項４】
請求項１〜３のいずれか１項に記載の形削り盤において、
レンズ（１００）の加工工程を進めるために前記加工工具（２１，２２，２３）の１つを選択する選択手段（２００）と、
前記選択された加工工具（２１，２２，２３）を前記レンズ（１００）に合わせて運搬するような態様で、前記第２の回転軸（Ａ２０）を中心にして前記工具運搬器（２０）を回転させるように設計された前記第２の駆動手段を制御する制御手段（２００）とを有する形削り盤。
【請求項５】
請求項１〜４のいずれか１項に記載の形削り盤において、
前記形削り工具（２１，２２）は、
平坦な端面を有するようにレンズを形成する少なくとも１つの縁取り用工具（２１）と、
ベベリング加工用研削輪、面取り用ディスク、溝加工用工具、および研磨用工具のうちの少なくとも１つにより構成される少なくとも１つの仕上げ用工具（２２）とを有する形削り盤。
【請求項６】
請求項１〜５のいずれか１項に記載の形削り盤において、
各加工工具（２１，２２，２３）は、工具用軸（Ａ２１，Ａ２２，Ａ２３）を中心とした前記加工工具（２１，２２，２３）の回転中における動作範囲を規定する動作部を有し、前記動作範囲の有効部は、前記第２の回転軸（Ａ２０）からの最大距離に定められ、少なくとも２つの前記形削り工具（２１，２２）における前記第２の回転軸からの最大距離は互いに同一である形削り盤。
【請求項７】
請求項１〜６のいずれか１項に記載の形削り盤において、
前記加工工具（２１，２２，２３）を、それらを回転駆動する共通モータ（４１）に連結する連結手段（２５，２６，２７，４１）を有し、
前記連結手段は、前記複数の加工工具の少なくとも１つが非作動状態にあるときに、その加工工具の連結用のクラッチが解放されることを可能とし、前記工具運搬器（２０）が前記複数の加工工具の少なくとも１つの作動位置にあるときに、その加工工具と前記共通モータ（４１）との間の連結用クラッチを接続するように設計される形削り盤。
【請求項８】
請求項５に記載の形削り盤によりレンズを形成する方法であって、
前記第２の回転軸（Ａ２０）を中心にして前記工具運搬器（２９）を回転し、前記レンズに合わせて前記縁取り用工具（２１）を位置させる工程と、
前記縁取り用工具（２１）により前記レンズ（１００）の縁取りを粗加工で行う工程と、
前記第２の回転軸（Ａ２０）を中心にして前記工具運搬器（２０）を回転し、前記レンズに合わせて前記仕上げ用工具（２２）を位置させる工程と、
前記第３の回転軸（Ａ０）を中心とした傾斜角が０度以外である前記工具運搬器を用いて、前記仕上げ用工具（２２）により前記レンズのベベリング加工または溝加工を仕上げる工程とを含む方法。
【請求項９】
請求項５に記載の形削り盤によりレンズを形成する方法であって、
前記第２の回転軸（Ａ２０）を中心にして前記工具運搬器（２０）を回転し、前記レンズに合わせて前記縁取り用工具（２１）を位置させる工程と、
前記第３の回転軸（Ａ０）を中心とした傾斜角が０度以外である前記工具運搬器を用いて、前記縁取り用工具（２１）により前記レンズ（１００）の縁取りを粗加工で行う工程と、
前記第２の回転軸（Ａ２０）を中心にして前記工具運搬器（２０）を回転し、前記レンズに合わせて前記仕上げ用工具（２２）を位置させる工程と、
前記工具運搬器（２０）の同一の傾斜角で、前記仕上げ用工具（２２）により前記レンズのベベリング加工または溝加工を仕上げる工程とを含む方法。
【発明の詳細な説明】
【技術分野】
【０００１】
本発明は、概してフレームへの一対の矯正用眼鏡レンズの装着に関し、さらに詳しくはレンズを形成する機械と方法に関する。
【背景技術】
【０００２】
光学技術者の仕事の技術的分野は、将来の着用者により選ばれたフレームに、一対の眼鏡用レンズを装着することにある。これをするために光学技術者は各レンズを形成する必要があり、その作業は、フレームにおよびまたは望ましいレンズ形状にレンズを適合するようにレンズの外形を修正することである。
【０００３】
従来、レンズの形成は、縁取り作業（しばしば「ラフィング」と称される」と、フレームのタイプに依存する仕上げ作業とからなる、２つの主たる作業を含む。
【０００４】
縁取り作業とは、当該眼鏡レンズの不要な周面部を除去することであり、その外形を当初は略円形とし、リムの任意の外形またはフレームの枠に適合させて、あるいはフレームが縁無しタイプの場合には、単に望ましい審美的形状とする。この縁取り作業に続いて、通常、レンズの周囲の２つの鋭利な縁部を丸み付けする、すなわち面取りする面取り作業が行われる。
【０００５】
仕上げ作業はフレームのタイプに依存する。縁付きフレームでは、通常、ベベルと称される隆起部を形成するベベリング作業が行われる。ベベルは、リムまたはレンズが装着される眼鏡フレームの周囲に形成された、一般にベゼルとして知られる対応する溝に係合するように設計される。フレームが縁無しタイプの場合、レンズの形成と必要に応じたその鋭利な縁部の丸み付け（面取り加工）とに続いて、縁無しフレームの眼鏡のつると鼻梁とがレンズに固定されるようにレンズの適切な穴あけ加工が行われる。最後に、フレームがナイロン糸を用いた半縁付きタイプの場合、面取り加工は、レンズの端面に溝を形成する溝加工作業を伴い、溝は、フレームの剛直な部位にレンズを押し付けるフレームのナイロン糸を受容するために機能する。
【０００６】
通常、レンズは数値制御研削機で形成され、数値制御研削機は、行われる予定の種々の作業に適した複数の加工工具とともに、レンズを保持して回転駆動する手段を有する。
【０００７】
通常、加工工具は、とりわけラフィング用の研削輪と、主たる加工モジュールを構成する共通の回転駆動軸に取り付けられるベベリング用の研削輪とを含む。穴加工用、溝加工用、および面取り加工用の工具と、さらに例えば大きく湾曲したレンズのようなある特定タイプのレンズを機械加工するための特殊な工具が、別の加工モジュールに配置される。
【発明の概要】
【発明が解決しようとする課題】
【０００８】
そのような機械は大量のスペースを占有し、加工モジュール毎に設けられる少なくとも１つのモータを必要とするので、高価である。
【０００９】
ＦＲ２６１４２２７号公報の図２に示された特定の実施形態では、回転軸を中心に転回するように取り付けられた共通の回転式工具運搬器に、上述の加工工具のいくつかを組み合わせることを提案している。加工工具はさらに、工具運搬器の回転軸と実質平行の別個の工具軸を中心に回転するように取り付けられる。その公報の教示によると、工具運搬器に取り付けられる加工工具は、単にレンズの表面を形成するための工具であり、機械加工するレンズに対して相対移動するそれら加工工具の移動の自由は、ほとんどない。
【００１０】
その工具運搬器を用いて行われることの可能なレンズ加工作業の多様性は、それ故、制限される。
【００１１】
本発明の目的は、機械の小型化を保ちながら、回転式の工具運搬器を有する形削り盤により使用可能なレンズ加工作業の多様性を増加させることである。
【課題を解決するための手段】
【００１２】
この目的のため、本発明は、レンズを支持するとともに、第１の駆動手段により第１の回転軸を中心にしてレンズを回転駆動する手段と、第２の回転軸を中心にして回転するように取り付けられ、第２の駆動手段により回転駆動される工具運搬器と、各工具用軸を中心にして回転するように工具運搬器に取り付けられた複数の加工工具であって、それら加工工具の少なくとも２つは、レンズの周面を形成するとともに異なる工具用軸を有する複数の加工工具と、第１の回転軸と第２の回転軸との間の相対間隔を拡げる運動を行う第３の駆動手段と、第１の回転軸に対し実質的に交差するように延びる第３の回転軸を中心にして、第１の回転軸に対し工具運搬器を旋回可能とする旋回手段とを備える、眼鏡用のレンズを形成する形削り盤を提供する。
【００１３】
レンズの回転軸に対する工具運搬器の軸の旋回運動の自由は、穴あけ用工具の軸の傾斜角を制御可能とし、これにより所望の向きと形状の穴を加工することができる。工具運搬器全体に旋回運動の自由が適用されるということは、レンズ周面を形成する他の工具の軸の傾斜角を制御することをさらに可能とし、これによりレンズ周面を所望の形状に正確に形成できる。
【００１４】
これにより、特に、加工されるべきレンズ周面を形成するための仕上げ用工具（一般にベベリング加工用研削輪や溝加工用研削輪）の軸の傾斜角を調整することが可能となる。工具運搬器の旋回運動の同一の自由を利用すると、加工されるべきレンズ周面を形成するためのラフィング加工用工具（一般に縁取り粗加工用研削輪）の傾斜角を適合させることも可能となり、それにより仕上げ加工目的の所望の角度に相当する傾斜角に粗加工されたレンズ端面を得ることができる。これにより仕上げ加工作業がよりたやすくなり（移動をあまり必要とせず、より均一の態様で移動させるので）、それにより仕上げ用工具の磨耗が低減され、かつ、より均一化されるとともに、仕上げ加工をより早く、かつより正確に行うことができる。
【００１５】
また、レンズの加工前およびまたはレンズの加工中に動的に、レンズに対する工具の理想的な３次元位置を得るために、工具運搬器の軸の旋回運動の自由を別の自由度と組み合わせることもできる。
【００１６】
大きく傾斜され、かつ、周面に面取り部や溝を形成することが望まれるレンズにとって、ベベリング加工用工具や溝加工用工具のような加工工具の軸の傾斜角は、面取りまたは溝加工されたレンズ周面の各部の向きと形状を３次元的により適合させることを可能にするとともに、その現象を制限し、それにより面取り部や溝はそれが形成されている間に削り取られるようになる。
【００１７】
そのような工具運搬器は、少ない移動部分と移動の自由でありながら、レンズに幅広い種類の処理操作を行うことをさらに可能とする。
【００１８】
各加工工具は、その回転軸上に単独で取り付けられているので、工具が交換されるときに、（複数の工具が共通軸上に取り付けられている場合に起こるような）他の加工工具を取り除くことはもはや必要でない。交換された加工工具は、較正し直されることを必要とするだけで、他の加工工具は交換により影響を受けない状態にとどまっているので、他の加工工具を較正し直すことは必要でない。
【００１９】
さらに、回転軸を中心とした工具運搬器の回転の自由およびこの回転軸を中心として工具が分配されるおかげで、選択された加工工具をレンズに合わせて運搬するのに単一のモータで十分である。形削り盤の全体の大きさとコストもそれにより低減される。
【００２０】
本発明の第１の好ましい特徴によると、加工工具は穴あけ用工具を有する。本発明の工具運搬器に穴あけ用工具が存在することにより、単一の工具運搬器とそれが有する移動の自由を用いて、対応する加工工具によりレンズの周面を形成するだけでなく、穴あけされるタイプのフレームに装着される予定のレンズを穴あけ加工することも可能である。別個の穴あけ用モジュールを追加して設けることは必要でない。
【００２１】
本発明の別の好ましい特徴によると、少なくとも１つの加工工具の工具用軸および工具運搬器の第２の回転軸は、この加工工具が選択されて工具運搬器が加工工具の作動位置に回転させられたときに、加工工具の工具用軸が第１の回転軸に対して傾斜するような態様で、典型的には５度以上の傾斜角にて配設される。この傾斜角は固定的でもよく、好ましくは、レンズの全体的な湾曲と形削り後のレンズの所望の全体的な最終外形形状とに依存させてもよい。
【００２２】
本発明の別の好ましい特徴によると、レンズの加工工程を進めるために加工工具の１つを選択する手段と、選択された加工工具をレンズに合わせて運搬するような態様で、第２の回転軸を中心にして工具運搬器を回転させるように設計された第２の駆動手段を制御する制御手段とが設けられる。
【００２３】
そのような状況では、好ましくは、
−第３の回転軸を中心として工具運搬器を旋回する手段は、レンズの加工前およびまたは加工中に、制御手段の制御の下、第４の駆動手段により駆動され、
−制御手段は、レンズを回転する第１の駆動手段に協調し、第３の回転軸を中心として工具運搬器を旋回する手段を駆動する第４の駆動手段を制御するように設計され、
−制御手段は、レンズを回転する第１の駆動手段に協調し、第２の回転軸を中心として工具運搬器を回転する第２の駆動手段を制御するように設計される。
【００２４】
この制御は、現在の加工箇所において、形成されるレンズの前面、後面および中央面の局所的または全体的な湾曲に応じて実行されるとともに、この加工箇所において、所望の形状とされる外形の半径に応じて実行される。
【００２５】
本発明の別の好ましい特徴によると、形削り工具は、平坦な端面を有するようにレンズを形成する少なくとも１つの縁取り用工具と、ベベリング加工用研削輪、面取り用ディスク、溝加工用工具、および研磨用工具のうちの少なくとも１つにより構成される少なくとも１つの仕上げ用工具とを有する。
【００２６】
本発明の別の好ましい特徴によると、形削り工具は、互いに異なる直径を有し、その形削り工具の回転軸は、第２の回転軸から異なる距離に配置されている。特に、加工工具は、形削りするレンズの周面を形成するラフィング加工用研削輪と仕上げ加工用研削輪とを有し、ラフィング加工用研削輪の直径は仕上げ加工用研削輪の直径よりも著しく大きく、両者の直径の差は概して１０ｍｍより大きい構成とすることができる。
【００２７】
本発明の別の好ましい特徴によると、各加工工具は、工具用軸を中心とした加工工具の回転中における動作範囲を規定する動作部を有し、少なくとも２つの形削り工具にとって同一である第２の回転軸からの最大距離に、動作範囲の有効部が定められている。
【００２８】
レンズを加工工具に接触させるための傾動移動量がこれにより小さくなる。これは、形削り盤をさらに小型化することも可能にする。
【００２９】
本発明の別の好ましい特徴によると、加工工具を、それらを回転駆動する共通モータに連結する連結手段を有し、連結手段は、複数の加工工具の少なくとも１つが非作動状態にあるときに、その加工工具の連結用のクラッチが解放されることを可能とし、工具運搬器が複数の加工工具の少なくとも１つの作動位置にあるときに、その加工工具と共通モータとの間の連結用クラッチを接続するように設計される。非作動状態にある工具の連結用のクラッチが解放されることにより、駆動歯車装置および工具用軸受けの磨耗を低減し、さらに加工作業により生じる騒音公害を低減し、それにより寿命と加工精度を高める。
【００３０】
発明の別の好ましい特徴によると、レンズの支持部は、第１の回転軸上にそれぞれ配設された２本のシャフトであって、それらの自由端面の間にレンズを把持する２本のシャフトを有し、これら各シャフトは、その自由端部に直径の減少した端末部を有する。これにより小径のレンズの周面を加工することが可能である。
【００３１】
本発明は、さらに上述のように定義された形削り盤によりレンズを形成する方法を提供し、その方法は、第２の回転軸を中心にして工具運搬器を回転し、レンズに合わせて縁取り用工具を位置させる工程と、縁取り用工具によりレンズの縁取りを粗加工で行う工程と、第２の回転軸を中心にして工具運搬器を回転し、レンズに合わせて仕上げ用工具を位置させる工程と、第３の回転軸を中心とした傾斜角が０度以外である工具運搬器を用いて、仕上げ用工具によりレンズのベベリング加工または溝加工を仕上げる工程とを含む。
【００３２】
この方法は、好ましくは、レンズの反りとは無関係に、全てのレンズの形成に系統的に適用され、とりわけ、半径が１２ｃｍより大きい球状の前面を有するレンズを形成する加工にさえ適用される。
【００３３】
本発明は、さらに上述のように定義された形削り盤によりレンズを形成する方法を提供し、その方法は、第２の回転軸を中心にして工具運搬器を回転し、レンズに合わせて縁取り用工具を位置させる工程と、第３の回転軸を中心とした傾斜角が０度以外である工具運搬器を用いて、縁取り用工具によりレンズの縁取りを粗加工で行う工程と、第２の回転軸を中心にして工具運搬器を回転し、レンズに合わせて仕上げ用工具を位置させる工程と、工具運搬器の同一の傾斜角で、仕上げ用工具によりレンズのベベリング加工または溝加工を仕上げる工程とを含む。
【００３４】
これは精度のよいかつ適切に向きが付けられた傾斜端部を生成し、それによりフレームへの取り付け精度および外観を向上する。これはさらに、形削りをやり直す必要があるあらゆるリスクを回避し、これにより光学技術者にとってかなりの時間の節約となる。
【００３５】
非制限的な例により与えられる付随の図面に関連した以下の説明は、発明の本質が何であり、かつそれをいかにして実行に移すことができるかにつき、十分な理解を与える。
【図面の簡単な説明】
【００３６】
【図１】本発明に係る形削り盤の斜視図である。
【図２】本発明に係る形削り盤の別の角度から見た斜視図であり、工具運搬器を回転する手段を示す図である。
【図３】工具運搬器の部分正面図であり、工具運搬器から投影したベベリング加工用研削輪により微小径のレンズを形成する端部を示す図である。
【図４】加工工具を回転駆動する共通モータに加工工具を連結するクラッチ解放可能手段を示す部分概略斜視図である。
【発明を実施するための形態】
【００３７】
図１，２は、眼鏡に取り付けられる矯正用のおよびまたは着色された眼鏡レンズ１００を形成する形削り盤を示している。形削り盤は、底部と４つの側壁とを有する鋳造品であるベース成形のシェルを備える。シェルは全体が成形されているので、永続的にかつ確実に漏れを抑えることが保証されている。
【００３８】
ロッカー装置１１と加工手段１９とを支持するプレート２も設けられる。プレート２は、図１，２に概略的にかつ一部のみ示され、シェル１上に搭載されてカバーを形成する。したがって、レンズ１００が形成される間、プレート２はシェル１と協働して、ロッカー装置１１と加工手段１９とを包含する封止されたハウジングを形成する。カバー形成プレート２は、形成されたハウジング内部へのアクセスを与える管理アクセスハッチ（不図示）を有し、それによりレンズ１００を挿入および取り除く。
【００３９】
また、加工手段１９およびロッカー装置１１の機械的な移動部は、全てプレート２に取り付けられ、メンテナンス作業の間、これらの要素はカバー２と一体のユニットとしてシェル１から取り出されて直接アクセス可能となり、これによりメンテナンス作業を容易にする。とりわけ、メンテナンス作業を行う作業員は、シェル１の側壁によって妨害されない。
【００４０】
ロッカー装置１１は、チルト軸Ａ１を中心に回転するようにプレート２に取り付けられている。この回転運動の自由は、図１，２のＢＳＣで示される。
【００４１】
それによりクランプおよび回転駆動シャフト１２，１３は、第１に、それらがシェル１とカバープレート２とにより形成されたハウジングの内部に位置する作業位置と、第２に、それらがハウジングの外部に位置する装填位置との間を、チルト軸Ａ１を中心に回転運動可能となる。
【００４２】
ロッカー装置１１は、クランプおよび回転駆動シャフト１２，１３を有し、これらシャフト１２，１３は、レンズ１００に結合し、チルト軸Ａ１から離間したチルト軸Ａ１に対し平行な回転軸Ａ３に沿って伸延する。これらのシャフト１２，１３は、軸Ａ３に沿ってお互いに対し相対的に並進運動可能であり、レンズ１００を把持してしっかり固定する。
【００４３】
シャフト１２，１３、および結果的にはレンズ１００も、軸Ａ３を中心に回転運動可能である。図１，２にＲＯＴで示されるこのシャフト１２，１３の回転は、例えばステップモータとギアボックスユニットなどの適宜な第１の駆動手段によって行われる。
【００４４】
加工手段１９は、第２の回転軸Ａ２０を中心としてドラムを形成する円柱形状の工具運搬器２０を備え、工具運搬器２０は軸Ａ２０を中心とした回転運動ＰＩＶ１の自由を有する。軸Ａ２０を中心とした工具運搬器２０の回転ＰＩＶ１は、通常はステップモータとギアボックスユニットにより構成される第２の駆動手段（不図示）によって行われる。
【００４５】
工具運搬器２０は、工具運搬器の回転軸Ａ２０に対してほぼ平行で、かつ互いに異なる工具の軸Ａ２１，Ａ２２，Ａ２３を中心にしてそれぞれ回転可能な複数の加工工具２１，２２，２３を有する。
【００４６】
これらの加工工具２１，２２，２３は、工具運搬器の回転軸Ａ２０の周囲に配置され、とりわけそれらは周面を形成する２つの工具２１，２２と、１つの穴あけ用の工具２３とを含む。
【００４７】
工具運搬器２０は、回転軸Ａ２に沿って並進運動可能であり、これにより工具がその回転軸に沿ってレンズに対し相対移動し、とくに溝加工やベベリング加工、実際には穴あけ加工時に有用である。この移動の自由は「トランスファー」と称され、図のＴＲＡで示される。
【００４８】
ある変形例では、このレンズと工具運搬器との間の並進運動の相対的な自由は、シャフト１２，１３とレンズとにより構成される組立品が、全体として並進運動可能となるような態様で設計されたロッカー装置１１によって達成することもできる。
【００４９】
回転式の加工工具を駆動する構成は、複数の出力シャフトを有する工具運搬器２０を備え、各々の出力シャフトには、加工工具２１，２２，２３の１つが取り付けられている。これらのシャフトは各々、歯車装置（仕上げ用研削輪２２のための２８を参照）により回転駆動され、それらを回転駆動する共通モータ４０の出力シャフトにクラッチを解放可能な態様で連結された入力シャフト（上記歯車装置２８のための２８．１を参照）とともに回転駆動される。
【００５０】
クラッチ解放可能手段は、共通モータに加工工具を連結するために設けられる。これらの連結手段は、工具運搬器２０が加工工具の作動位置にあるときに、その作動状態の加工工具と共通モータ４０を連結するクラッチを接続するとともに、非作動状態の加工工具を連結するクラッチを解放するように設計される。
【００５１】
特に、図３，４に示すように、個々のクラッチ解放可能な磁気継ぎ手が共通モータ４０とともに各工具のために設けられ、この磁気継ぎ手は、通常は供給元のマグネティックテクノロジー社（Magnetic Technologies Ltd）によって販売されているような、面ディスクを備えるタイプのものである。この磁気継ぎ手は、主として第１に、加工工具２１，２２，２３にそれぞれ対応付けられた軸Ａ２５，Ａ２６，Ａ２７に関して個別の継ぎ手ディスク２５，２６，２７を備え、各ディスクは対応する工具の駆動歯車装置に連結されることにより、工具運搬器２０に回転するように取り付けられ（図３，４に示す構成では、工具２２を駆動する歯車装置２８が図によって示される）、第２に、共通モータ４０の出力シャフトに連結された共通継ぎ手ディスク４１を備えている。共通継ぎ手ディスク４１は、工具運搬器２０の回転軸Ａ２に対して相対的にオフセットされたモータの軸Ａ４１上に配置され、個々の継ぎ手ディスク２５，２６，２７は、共通継ぎ手ディスク４１の駆動軸Ａ４１と同一のオフセットを有する軸Ａ２５，Ａ２６，Ａ２７上に配設されている。これにより工具運搬器２０が、種々の工具２１，２２，２３を連続して作動位置に配置するように回転軸Ａ２０を中心に回転するとき、個々の継ぎ手ディスク２５，２６，２７が共通の継ぎ手ディスク４１に連続的に一致するように移動される。工具運搬器２０が、加工工具の１つ（図３，４の例では仕上げ用研削輪２２）がレンズ１００を加工する位置である所与の角度位置に静止状態でとどまるとき、その工具に連結された個々の継ぎ手ディスク（図３，４の例ではディスク２６）は共通継ぎ手ディスク４１に面して位置される。図示の例では、軸Ａ２６と軸Ａ４１とが一致している。
【００５２】
ある変形例では、共通モータ４０の出力シャフトが共通継ぎ手の歯車を回転させるとともに、工具運搬器２０を回転させることで各工具の歯車装置をそれぞれ共通継ぎ手の歯車に噛合させるような態様により、種々の工具の各駆動歯車装置が配設されるように構成することもできる。工具運搬ドラムが、対応する工具の作動位置にあるときに、各工具の歯車装置は、単独で共通継ぎ手の歯車に個別に噛合されるようになる。そのとき、他の工具の駆動用歯車の共通モータに連結するクラッチは解放される。このため、共通継ぎ手の歯車は、工具運搬器２０の回転軸Ａ２０からオフセットされる。
【００５３】
形削り工具２１，２２は、縁取り用工具２１と仕上げ用工具２２とを有する。縁取り用工具２１は、ラフィング加工用研削輪により構成され、仕上げ用工具２２はベベリング加工用研削輪により構成されている。ラフィング加工用研削輪は、その回転軸Ａ２１を中心として１回りの縁取りの加工面を有し（特に円筒状面）、ラフィング加工面の粒径は約１５０μｍである。仕上げ用研削輪２２は、ベベリング溝２２．２とともに、その回転軸Ａ２２を中心とした１回りの面により構成された縁取りの加工面２２．１を有する。特に、縁取りの加工面２２．１は円筒形状であるが、好ましくは円錐形状とすることもできる。いかなる形状であるにしろ、仕上げ用研削輪２２は、ラフィング加工用研削輪２１の直径よりもかなり小さい最大直径を呈する。仕上げ用研削輪２２の粒径は、５５μｍ程度である。
【００５４】
図示は省略するが、面取り用工具、溝加工用工具、研磨用工具のような他の仕上げ用工具を追加した構成とすることが好ましい。
【００５５】
形削り盤は、さらに第１の回転軸Ａ３に対して工具運搬器２０を回転させる旋回手段を有する。旋回手段は、プレート２に工具運搬器２０を連結する軸Ａ０を中心とした回転結合部を備える。これにより工具運搬器２０は、工具運搬器の回転軸Ａ２０と結果的に加工工具の軸とが、レンズの回転軸Ａ３に対してある角度にわたり旋回可能となる回転運動ＰＩＶ２の自由を有する。軸Ａ０を中心とした工具運搬器２０のこの旋回は、特に、モータ２９を備える第４の駆動手段によって行われ、モータ２９の出力シャフトは、鉛直方向の軸Ａ０を中心として工具運搬器２０を旋回可能とする歯車３２に噛合したウォームギヤの軸３１に取り付けられている。駆動モータ２９は、制御手段２００によりレンズの加工前およびまたは加工中に動作する。
【００５６】
好適な磁気継ぎ手にとっては、軸Ａ０を中心とした工具運搬器２０の角度位置に拘わらず、好ましくは共通の継ぎ手ディスク４０と同一の軸上にそれぞれ継ぎ手ディスク２５，２６，２７がとどまるべき点に留意すべきである。したがって、共通モータ４０と共通の継ぎ手ディスク４１とが軸Ａ０を中心として工具運搬器２０とともにＰＩＶ２の回転をするように構成することが好ましい。
【００５７】
工具運搬器２０の旋回軸Ａ０は、とくにこの軸を中心とした工具運搬器の旋回が工具の過渡の並進運動によって随伴されないように工具に接近して配置されることが好ましい。
【００５８】
形削り工具２１，２２は互いに異なる直径を有し、形削り工具２１，２２の回転軸Ａ２１，Ａ２２は第２の回転軸Ａ２０から異なる距離に配置されている。とりわけ各形削り工具２１，２２は、軸Ａ２１，Ａ２２，Ａ２３を中心とした形削り工具２１，２２の回転中に、各形削り工具２１，２２にとって同一である第２の回転軸Ａ２０からの最大距離に位置する動作範囲の有効部を用いて動作範囲を規定する動作部を有する。
【００５９】
加工工具の少なくとも１つの工具軸が、工具運搬器２０の第２の回転軸Ａ２０に対して概して５度以上の角度により傾斜されるように構成されてもよい。これによりこの加工工具が選択され、工具運搬器がその加工工具の作動位置を占めるように回転されると、軸Ａ２０を中心として回転する工具運搬器２０により、この加工工具の工具軸をレンズの回転軸に対して方向付けることができる。
【００６０】
この傾斜軸を有する加工工具は、一般に円錐状の研磨用加工面を有するベベリング加工用輪２２、あるいは溝加工用ディスクとしてもよい。そのような状況下において、傾斜角度は、頂部に同一の円錐半角を有する１０°〜３０°の範囲としてもよい。
【００６１】
さらに、とりわけ図３に示すように、研削輪２２と２１とが工具運搬器２０から放射状に突出するように構成されることが好ましい。これにより図３では、研削輪２２が工具運搬器２０に対して距離Ｄにより放射状に突出して見える。この研削輪の放射状の突出により、ロッカー装置１１と工具運搬器２０との間の干渉を防止しつつ、最終直径が極小のレンズ１００を加工することができる。
【００６２】
そうした状況下で、極小径のレンズを加工することは、細まった端部に設けられたレンズ１００をクランプするクランプシャフト１２，１３によって特に可能となる。ロッカー装置１１から突出するロッカー装置１１の本体に関し、各クランプシャフト１２，１３は、基部３２，３３と、基部３２，３３よりも小径の末端部３６，３７とを有する。これは、シャフトが十分な剛性を有することを保証するにも拘わらず、それと同時に、小径の末端部３６，３７に一致している研削輪が、クランプシャフトの大径の基部３２，３３の間を通ることを可能にする。
【００６３】
とりわけ各基部３２，３３の自由端には、取付終片３４，３５に係合するギザギザ形状の機構が設けられ、取付終片３４，３５には、末端部３６，３７を形成する小径の突出部が設けられている。突出部すなわちシャフト１２の末端部３６は、その自由端において、ブロッキングパッド、すなわち基準のフレームに組み込むためのレンズ１００の対応する面に装着されたアクセサリ３８と共働する。このブロッキングアクセサリはそれ自体よく知られており、一例としてＥＰ１２６６７２３号公報に記載された形式のアクセサリを用いることができる。突出部の自由端すなわちシャフト１３の末端部３７には、滑りを防止して表面状態を保持するため、レンズに高い摩擦係数を与えるエラストマー製の接続ペレット３９が設けられている。
【００６４】
一例として、各クランプシャフト１２，１３の末端部３６，３７は、上流部に対して少なくとも直径１ｍｍの段を呈する。末端部の直径は、８ｍｍ〜１８ｍｍの範囲内にある。図示の例では、末端部は直径１０ｍｍであり、本体部は３２，３３は直径１８ｍｍである。
【００６５】
クランプシャフトの末端部３６，３７は、それらの長さの合計が、加工されるレンズの最小厚さを減じたラフィング加工用および仕上げ用の研削輪の最大幅以上となる長さを超えて伸延する。とりわけ、レンズの最小厚さは２ｍｍである。したがって、それぞれ１７ｍｍの幅のラフィング加工用および仕上げ用の研削輪を設けた場合、２本のシャフト１２，１３の小径の末端部３６，３７の長さの合計は少なくとも１５ｍｍである。各小径の末端部３６，３７の長さは、クランプシャフトが十分な剛性を保つことを保証するため、長すぎないようにすべきである。とりわけ、各クランプシャフトの小径の末端部３６，３７の長さは、約８ｍｍである。
【００６６】
レンズ１００の加工工程を進めるため、加工工具２１，２２，２３の１つを選択する手段が設けられるとともに、選択された加工工具２１，２２，２３をレンズ１００に合わせて運搬するため、工具運搬器２０の回転運動を制御する手段も設けられている。
【００６７】
制御手段２００は、工具運搬器２０の回転運動を制御する手段、例えば工具運搬器２０の回転位置を割り出す装置を制御する。工具運搬器の回転位置の割り出し装置は、縁取り作業を行っている間に、加工工具２１，２２，２３が移動を妨げられるような態様で設計される。
【００６８】
レンズの第１の回転軸Ａ３と工具運搬器２０の第２の回転軸Ａ２０との間の間隔を、縁取り時に動的に調整可能とするため、チルト軸Ａ１を中心に傾倒するロッカー装置１１の運動の自由ＢＳＣが利用される。この自由ＢＳＣは、一般にモータとギヤボックスユニット１５により構成される第３の駆動手段によって行われる。
【００６９】
眼鏡レンズを所与の外形を有するように加工するため、再生産するために並進運動するロッカー装置１１の運動の自由ＲＥＳと、回転運動するレンズのシャフト１２，１３の運動の自由ＲＯＴは、コンピュータとこのために適宜にプログラムされた電子的処理装置２００により協調して制御され、眼鏡レンズの外形の全ての箇所を連続的に正確な直径とする。
【００７０】
コンピュータと電子的処理装置２００は、ロッカー装置や工具運搬器のような形削り盤の種々の要素の運動の自由を制御する手段を有する。コンピュータと電子的処理装置２００は、この例では、加工工具の運動の自由とレンズ用のシャフトを回転駆動するとともにクランプする種々の運動の自由とを協調して制御するように設計された電子カードにより構成され、以下に説明するように自動形削り方法を実施する。
【００７１】
上述の形削り盤は、以下の工程を適用するレンズ形削り方法を実施するために利用される。
【００７２】
レンズは、ロッカー装置の回転駆動保持シャフト１２，１３の中間に配置されて把持される。コンピュータと電子処理装置２００は、工具運搬器２０の回転運動の自由を制御し、レンズに合わせて形削り工具２１を位置させる。その後、コンピュータと電子処理装置２００は、レンズの回転運動の自由ＲＯＴを制御し、形削り工具２１を用いてレンズ１００の縁取りを粗加工で行うために、並進運動の自由ＴＲＡと再生産における運動の自由ＲＥＳを制御する。
【００７３】
この粗加工の工程の間に、レンズは粗加工され、レンズの外形はそこに与えるべく望まれた形状に近づく。
【００７４】
この粗加工作業にとって好ましくは、工具運搬器の旋回回転の自由を使用し、レンズの端面を仕上げるための望まれた角度に対応した傾斜角をとるために、形削り工具２１を旋回させる点に注意が払われる。
【００７５】
穴加工されるタイプのフレーム用のレンズを加工するとき、一旦粗加工が完了すると、レンズに合わせて仕上げ用工具２２を位置させるために工具運搬器がその軸Ａ２０を中心にして回転し、ベベリング溝を有しない仕上げ用研削輪の周辺部を用いることにより、縁取り作業の仕上げを行う。
【００７６】
その後、仕上げ工程の最後に、工具運搬器２０はその回転軸Ａ２０を中心にして回転させられ、レンズに合わせて穴あけ用工具２３を運搬する。レンズの回転軸Ａ３に対して工具運搬器の軸Ａ２０を傾斜させるため、工具運搬器の旋回運動の自由ＰＩＶ２がそのとき制御され、レンズを穴加工する穴あけ工具を正確に方向付けする。
【００７７】
レンズを穴あけ加工して形成するとき、一旦ラフィング加工が完了すると、工具運搬器はその回転軸Ａ２０を中心として回転し、レンズに合わせて仕上げ用工具２２を位置させる。
【００７８】
コンピュータと電子処理装置２００は、形削り盤の種々の要素の運動の自由を同様に制御し、ベベリング仕上げ作業を実行する。ある変形例では、工具運搬器上に溝加工用工具を配置し、レンズを溝加工する構成とすることもできる。
【００７９】
レンズの回転軸Ａ３に対する工具運搬器２０の回転軸Ａ２０の旋回の自由ＰＩＶ２は、レンズの周面の所望の形状を得るような態様で制御されてもよい。
【００８０】
好ましくは、旋回の自由ＰＩＶ２は、強く湾曲されたレンズの周面にベベルまたは溝を形成するように制御され、それが形成されている間のベベルまたは溝が削り取られる範囲を制限する。レンズの前面は球状に形成されるので、強く湾曲されたレンズは、１２ｃｍ未満の半径の球部を形成するレンズとして定義される。このため、制御手段は、軸Ａ０を中心として旋回する回転運搬器２０の運動の自由ＰＩＶ２を利用するようにプログラムされ、２００６年１１月１３日に本出願人の名前で出願されたフランス特許出願ＦＲ０６／０８９８７に説明されているように、レンズに対する工具の傾斜角を制御する。
【００８１】
ある状況では、制御手段２００は、加工位置に工具を運搬するためにレンズを加工し始める前だけでなく、動的にレンズが加工される間、レンズが軸Ａ３を中心として回転させられる間にも、レンズを回転駆動する第１の駆動手段に協調して、軸Ａ０を中心とした工具運搬器２０を旋回する手段を駆動する第４の駆動手段を制御するように設計される。工具運搬器２０の傾斜角の動的な制御は、ベベリング加工や溝加工のようなレンズ周面の仕上げ加工を実行するときにとくに有用であり、フレームへのより正確な装着を達成する。この制御は、そのときフレームの３次元形状の機能として好ましくは実行される。
【００８２】
また、そのようなレンズ周辺の仕上げ加工の間の加工の正確性をさらに向上させるために、第２の回転軸Ａ２０を中心とした工具運搬器２０の回転のための第２の駆動手段が、レンズを回転する第１の駆動手段１４と協調して、このためにプログラムされた制御手段２００により制御されることが好ましい。
【００８３】
このため、制御手段は、軸Ａ０とＡ２０を中心とした工具運搬器２０の２つの自由運動を使用するようにプログラムされ、２００５年１１月２４日に本出願人の名前で出願されたフランス特許出願ＦＲ０５／１１８９５に説明された態様で、レンズに対して工具の位置を制御する。
【００８４】
そのような状況では、加工工具（ベベリング加工や溝加工用工具）の軸と工具運搬器２０の第２の回転軸Ａ２０は、加工工具が選択されて工具運搬器がその加工工具の作動位置に回転させられたときに、加工工具の軸がある角度でレンズの第１の回転軸に対して傾斜されるような態様で配設されるように構成される。レンズの角度位置に応じた第２の回転軸Ａ２０を中心とする工具運搬器２０の回転は、そのとき十分な効果をもたらす。
【００８５】
この方法は、レンズの曲率半径の値とは無関係にレンズを形成するとき、とりわけ強く湾曲されていないレンズに対し、すなわち１２ｃｍよりも大きな半径の球部を形成するレンズに対し、意図的に利用されてもよい。
【００８６】
例えば汚れに対する処置であり、滑りやすくするようなコーティングを有するレンズを加工するために、ミリングカッター工具が設けられた工具運搬器を備えることも可能である。制御ユニットは、このタイプの滑りやすいレンズの形削りの粗加工をするためのカッター工具を用いるようにプログラムされる。したがってレンズに伝えられるトルクは小さく、これによりレンズがその支持部に対して滑ることを回避する。このようなミリングによる切削は、２００６年５月１９日に本出願人より出願されたフランス特許出願ＦＲ０６／０４４９３に詳細に記載されている。
【００８７】
形削りするレンズが滑りやすいタイプからなり、さらに形削り後に望まれる最終の直径が小さすぎてその直径をミリングにより形削りできないとき、制御ユニットは、以下の２つのサブ工程で粗加工するようにプログラムされる。
−所望の直径よりも大きな最小直径まで削減するようにレンズがミル加工される。最小直径は、工具運搬器またはミル加工工具の駆動モータと、レンズ１００を保持して回転駆動する手段１２，１３との間のあらゆる衝突を避けるように事前に定義される。
−粗加工用の研削輪を用いて所望の直径に研削することによりラフィング作業を仕上げる。
【図１】
0005607370.tif 000002
【図２】
0005607370.tif 000003
【図３】
0005607370.tif 000004
【図４】
0005607370.tif 000005